(57)【要約】【課題】リモート位置における大量のデータを同時にモニタし、ローカル位置で前記データを解析し、モニタされているネットワークを利用してリモート位置からローカル位置にデータを搬送する装置を提供する。【解決手段】本発明の提供する装置は、ネットワークの別々のリンクから複数の低速回線上で搬送されるネットワーク・データを、高速回線上で搬送される多重化ネットワーク・データに多重化する集信装置と、高速回線上で搬送される多重化ネットワーク・データからネットワーク統計値を求める分散型ネットワーク・アナライザと、を有する。【選択図】図２
2006174445.tif 000002
【特許請求の範囲】
【請求項１】
ネットワークの別々のリンクから複数の低速回線上で搬送されるネットワーク・データを、高速回線上で搬送される多重化ネットワーク・データに多重化する集信装置と、
前記高速回線上で搬送される前記多重化ネットワーク・データからネットワーク統計値を求める分散型ネットワーク・アナライザと、
を有する装置。
【請求項２】
前記集信装置がリモートに配置され、前記多重化ネットワーク・データが前記ネットワークによって搬送され、前記分散型ネットワーク・アナライザがローカルに配置される、請求項１に記載の装置。
【請求項３】
前記高速回線上で搬送される前記多重化ネットワーク・データを多重分離し、前記多重分離ネットワーク・データをセルにアセンブルし、単一の分散型ネットワーク・アナライザによる解析のために、前記セルをパケットに再アセンブルする、ライン・インターフェイス・モジュールをさらに有する、請求項１に記載の装置。
【請求項４】
ネットワークの別々のリンクから複数の低速回線上で搬送されるネットワーク・データを、高速回線で搬送される多重化ネットワーク・データに多重化する集信装置と、
前記高速回線上で搬送される前記多重化ネットワーク・データを多重分離し、該多重分離されたネットワーク・データをセルにアセンブルし、単一の分散型ネットワーク・アナライザによる解析のために、前記セルをパケットに再アセンブルする、ライン・インターフェイス・モジュールと、
を有する装置。
【請求項５】
前記集信装置が、前記複数の低速回線のそれぞれ上で搬送される前記ネットワーク・データに関連するテレメトリデータを、前記多重化ネットワーク・データを搬送する前記高速回線の付加バイトに挿入し、前記インターフェイス・モジュールが、コンピュータによる処理のために、前記高速回線からテレメトリデータを抽出する、請求項１または請求項４に記載の装置。
【請求項６】
前記集信装置が、
前記ネットワーク・データからテレメトリデータを収集する光パワー・メータを含み、前記複数の低速回線からの前記ネットワーク・データを、それぞれ電気信号に変換する、複数の光電気変換モジュールと、
前記変換されたネットワーク・データを多重化ネットワーク・データに多重化し、前記多重化ネットワーク・データをＳＯＮＥＴ／ＳＤＨフレーム構造をなすように構成し、前記光パワー・メータによって収集された前記テレメトリデータ、及びマルチプレクサ自体によって収集された追加テレメトリデータを、前記ＳＯＮＥＴ／ＳＤＨフレーム構造の付加バイトに挿入するマルチプレクサと、
テレメトリデータを挿入され、前記フレーム構成された多重化ネットワーク・データを直列化するシリアライザと、
前記直列化されたデータを、前記高速回線で搬送される前記多重化ネットワーク・データである光信号に変換する電気光変換モジュールと、
を有する、請求項１または請求項４に記載の装置。
【請求項７】
前記ライン・インターフェイス・モジュールが、
前記高速回線上で搬送される前記多重化ネットワーク・データを電気信号に変換する光電気変換モジュールと、
前記多重化ネットワーク・データを非直列化するデシリアライザと、
前記非直列化されたネットワーク・データを多重分離するデマルチプレクサと、
前記多重分離されたネットワーク・データをセルにアセンブルするＨＥＣデリニエータと、
単一のネットワーク・アナライザによる解析のために、前記セルをパケットに再アセンブルする再アセンブラと、
コンピュータによる解析のために、ＳＯＮＥＴフレームの付加バイトからテレメトリデータを抽出する統計値収集器と、
を有する、請求項３または請求項４に記載の装置。
【請求項８】
前記集信装置を用いて前記低速回線のマッピング・モードを制御するリモートリンクをさらに有する、請求項１または請求項４に記載の装置。
【請求項９】
前記集信装置が、前記ネットワーク・データを多重化するためのソフトウェアを含み、該ソフトウェアは、リモート光リンクを介してアップグレード可能である、請求項１または請求項４に記載の装置。
【発明の詳細な説明】
【技術分野】
【０００１】
この発明は、分散型ネットワーク・アナライザに関する。
【背景技術】
【０００２】
分散型ネットワーク・アナライザ（Distributed Network Analyzer：ＤＮＡ）は、ネットワークからのデータを解析するのに利用される。一般に、ＤＮＡは、ライン・インターフェイス・モジュール（Line Interface Module：ＬＩＭ）を介してネットワークからデータを受信する。しかし、ＬＩＭのサイズによって、ＬＩＭがネットワークからデータを受信するのに物理的に利用可能な入力数が制限される。従って、それぞれのＤＮＡは、ＬＩＭによって課せられる入力制限のため、比較的わずかな量のデータだけしか受信及び解析を行うことができない。結果として、ネットワークからの大量のデータを解析するには、複数のＬＩＭ及びＤＮＡが必要になる。
【０００３】
例えば、図１は、ネットワークからの大量のデータの受信及び解析のために従来用いられたＤＮＡを例示したダイヤグラムである。次に、図１を参照すると、複数のＬＩＭ５、６、７、及び８が、それぞれ、ネットワークからデータを搬送する複数の回線２０、２１、２２、及び２３を受け入れている。ＤＮＡ１０、１１、１２、及び１３は、それぞれ、ＬＩＭ５、６、７、及び８からデータを受信する。一般に、回線２０、２１、２２、及び２３上で搬送されるデータは、ネットワークの複数リンクからのものである。
【０００４】
ネットワークからの大量のデータは、同時にモニタし、解析するのが望ましい。しかし、複数のＬＩＭ及びＤＮＡを利用するのはコストが高くつく。さらに、複数のＬＩＭ及びＤＮＡを利用すると、必要な設備の全体のサイズ及び複雑性が増大することになる。また、複数のＤＮＡのモニタ及び解析を調整するのは困難である。
【発明の開示】
【発明が解決しようとする課題】
【０００５】
リモート位置における大量のデータを同時にモニタし、ローカル位置で前記データを解析し、モニタされているネットワークを利用してリモート位置からローカル位置にデータを搬送するのが望ましい。
【０００６】
また、アナライザが、非同期転送モード（Asynchronous Transfer Mode：ＡＴＭ）でフォーマットされたデータを解析し、さらに、ＡＴＭ上での逆多重化（Inverse Multiplexing over ATM：ＩＭＡ）機能を実施できることも望ましい。
【課題を解決するための手段】
【０００７】
本発明の提供する装置は、ネットワークの別々のリンクから複数の低速回線上で搬送されるネットワーク・データを、高速回線上で搬送される多重化ネットワーク・データに多重化する集信装置と、高速回線上で搬送される多重化ネットワーク・データからネットワーク統計値を求める分散型ネットワーク・アナライザと、を有する。
【０００８】
本発明の一実施形態では、この装置は、高速回線上で搬送される前記多重化ネットワーク・データを多重分離し、多重分離ネットワーク・データをセルにアセンブルし、単一の分散型ネットワーク・アナライザによる解析のために、前記セルをパケットに再アセンブルする、ライン・インターフェイス・モジュールをさらに有する。
【発明を実施するための最良の形態】
【０００９】
本発明の以上の及びその他の目的及び利点については、添付の図面に関連してなされる、望ましい実施態様に関する下記の説明から明らかになり、より容易に理解が得られるであろう。
【００１０】
次に、本発明の現在のところ望ましい実施態様について詳述することにするが、同様の参照番号が全体を通じて同様の構成要素を表わしている添付の図面には、これらの例が示されている。
【００１１】
図２は、本発明の実施態様の１つに基づく、単一の分散型ネットワーク・アナライザによる処理のために、複数の光信号を集めるための装置を例示したブロック図である。図２を参照すると、低速回線２０、２１、２２、及び２３によって、ネットワークのそれぞれに異なるリンクからネットワーク・データが搬送される。例えば、低速回線は、ＯＣ−３回線とすることが可能である。しかし、本発明は、いかなる特定の速度／レートの回線、またはいかなる特定のプロトコルで動作する回線にも限定されるものではない。
【００１２】
集信装置（concentrator）４０が、低速回線２０、２１、２２、及び２３上で搬送されるネットワーク・データを多重化して、高速回線６０に送り込む。高速回線６０は、帯域幅がそれぞれの低速回線２０、２１、２２、及び２３よりも広い。例えば、低速回線２０、２１、２２、及び２３が、１５５．５２Ｍｂｐｓの搬送が可能なＯＣ−３回線の場合、高速回線６０は、６２２．０８Ｍｂｐｓの搬送が可能なＯＣ−１２回線とすることが可能である。しかし、本発明の高速回線６０は、いかなる特定の速度／レート、またはいかなる特定のプロトコルによる動作にも限定されるものではない。さらに、図２に例示の集信装置４０は、４つの低速回線を受け入れるが、本発明は、いかなる特定の数の回線の受け入れにも制限されるものではない。
【００１３】
図２に例示のように、次に、単一ＤＮＡ８０が高速回線６０上で搬送される多重化ネットワーク・データからネットワーク統計値を求める。
【００１４】
図３は、本発明の実施態様に基づく、単一の分散型ネットワーク・アナライザによる処理のために、複数の低速回線を集めるための装置をより詳細に例示したブロック図である。図３を参照すると、複数の低速回線２０、２１、２２、２３、２４、２５、２６、及び２７によって、ネットワークのそれぞれに異なるリンクからネットワーク・データが搬送される。例えば、低速回線２０、２１、２２、２３、２４、２５、２６、及び２７は、ＯＣ−３回線とすることが可能である。しかし、本発明の低速回線は、いかなる特定の速度／レート、またはいかなる特定のプロトコルによる動作にも限定されるものではない。さらに、図３には、８つの低速回線が例示されているが、本発明の装置は、いかなる特定の数の低速回線にも限定されるものではない。
【００１５】
集信装置４０が、低速回線２０、２１、２２、２３、２４、２５、２６、及び２７上で搬送されるネットワークのそれぞれに異なるリンクからのネットワーク・データを多重化して、ＯＣ−１２回線とすることが可能な高速回線６０及び６１に送り込む。高速回線６０及び６１は、帯域幅がそれぞれの低速回線２０、２１、２２、２３、２４、２５、２６、及び２７のそれぞれよりも広い。例えば、低速回線２０、２１、２２、２３、２４、２５、２６、及び２７が、１５５．５２Ｍｂｐｓの搬送が可能なＯＣ−３回線の場合、高速回線６０及び６１は、６２２．０８Ｍｂｐｓの搬送が可能なＯＣ−１２回線とすることが可能である。しかし、本発明の高速回線６０及び６１は、いかなる特定の速度／レート、またはいかなる特定のプロトコルによる動作にも限定されるものではない。さらに、図３には、２つの高速回線に多重化される２つのグループをなす４つの低速回線が例示されているが、本発明は、いかなる特定の数の低速回線または高速回線、あるいは、いかなる特定の数のグループ化にも制限されるものではない。
【００１６】
さらに、集信装置４０は、それぞれの低速回線２０、２１、２２、２３、２４、２５、２６、及び２７のそれぞれからテレメトリデータ（telemetry data）を収集することが可能である。収集されるテレメトリデータには、例えば、それぞれの低速回線２０、２１、２２、２３、２４、２５、２６、及び２７のそれぞれの光パワーの測定値を含むことが可能である。収集されるテレメトリデータには、それぞれの光入力のそれぞれに関するＢ１、Ｂ２、及びＢ３ビット・インターリーブド・パリティ（bit interleaved parity：ＢＩＰ）エラー、遠隔誤差表示経路（remote error indication path：ＲＥＩ−Ｐ）カウント、信号損失（loss of signal：ＬＯＳ）、同期外れ（out of frame：ＯＯＦ）データ、警報表示信号回線（alarm indication signal line：ＡＩＳ−Ｌ）、遠隔欠陥表示回線（remote defect indication line：ＲＤＩ−Ｌ）、ポインタ損失（loss of pointer：ＬＯＰ）、警報表示信号経路（alarm indication signal path：ＡＩＳ−Ｐ）、及び遠隔欠陥表示経路（remote defect indication path：ＲＤＩ−Ｐ）といった統計値及び警報を含むことが可能である。これらの統計値及び警報は、周知のところである。本発明のテレメトリデータは、これらの統計値及び警報に限定されるものではない。
【００１７】
多重化ネットワーク・データは、ＳＯＮＥＴ／ＳＤＨフレーム構造をなすように構成される。例えば、ネットワーク・データを多重化して、ＯＣ−１２回線に送り込まなければならない場合には、多重化ネットワーク・データは、ＯＣ−１２フレームをなすように構成されることになる。しかし、本発明は、ＯＣ−１２フレームの利用に制限されるものではない。ＳＯＮＥＴ／ＳＤＨフレーム構造によって、集信装置は、ＳＯＮＥＴ／ＳＤＨフレームの未使用の付加バイト（overhead bytes）に収集したテレメトリデータを挿入することが可能になる。例えば、収集したテレメトリデータは、ＯＣ−１２フレームのオーバヘッドＤ１〜Ｄ６バイトに挿入することが可能である。しかし、本発明は、オーバヘッドＤ１〜Ｄ６バイトの利用に限定されるものではない。さらに、ネットワーク・データを多重化して、例えば、２つのＯＣ−１２回線に送り込む場合、各ＯＣ−１２回線毎に、それぞれのＯＣ−１２回線で搬送されるネットワーク・データに関連したテレメトリデータが、それぞれのＯＣ−１２フレームの付加バイトに挿入されることになる。
【００１８】
さらに、リモートリンク（remote link）９０が、ライン・インターフェイス・モジュール（ＬＩＭ）７０を利用して、低速回線２０、２１、２２、２３、２４、２５、２６、及び２７のマッピング・モードを遠隔制御できるようにする。選択されるマッピング・モードは、例えば、仮想コンテナ３（ＶＣ３）または仮想コンテナ４（ＶＣ４）とすることが可能である。光学プロトコル間のマッピングは周知のところである。さらに、ＬＩＭ７０から、このリモートリンク９０を利用して、集信装置のソフトウェアをアップグレードすることが可能である。
【００１９】
ＬＩＭ７０は、多重化ネットワーク・データを搬送する高速回線６０及び６１を受け入れて、ネットワーク・データを多重分離する。次に、ＬＩＭ７０は、例えば、多重分離ネットワーク・データにＩＭＡを施すことが可能である。ＬＩＭ７０は、また、コンピュータ１００による処理のために、ＳＯＮＥＴ／ＳＤＨフレーム構造の付加バイトに挿入されたテレメトリデータを抽出する。コンピュータ１００は、例えば、パーソナル・コンピュータまたはハンドヘルド式コンピュータとすることができるが、いかなる特定タイプのコンピュータにも限定されることはない。ＬＩＭ７０は、次に、ＡＴＭデータを、単一の分散型ネットワーク・アナライザ８０による処理に適した形式に再アセンブルする。逆多重化は、本発明のさまざまな実施態様において、必要とされない場合もある。
【００２０】
図４は、本発明の実施態様の１つによる集信装置４０をより詳細に例示したブロック図である。図４に示すように、複数の低速回線２０、２１、２２、２３、２４、２５、２６、及び２７のそれぞれは、それぞれ、光電気変換モジュール（optical to electrical module）１２０、１２１、１２２、１２３、１２４、１２５、１２６、及び１２７に受け入れられる。複数の光電気変換モジュール１２０、１２１、１２２、１２３、１２４、１２５、１２６、及び１２７のそれぞれには、それぞれ、光パワー・メータ（ＰＭ）１１０、１１１、１１２、１１３、１１４、１１５、１１６、及び１１７が含まれている。光パワー・メータ１１０、１１１、１１２、１１３、１１４、１１５、１１６、及び１１７は、それぞれ、低速回線２０、２１、２２、２３、２４、２５、２６、及び２７の光パワーを測定する。光パワーの測定は、周知のところである。光パワー測定値は、テレメトリデータの一部として収集される。複数の低速回線２０、２１、２２、２３、２４、２５、２６、及び２７のそれぞれの光パワーは、例えば、ネットワークに関する問題を指摘することが可能な、クリティカル・レベル１の測定である。光電気変換モジュールにおける光パワー測定によって指摘することが可能な問題例には、接続に干渉するかまたは光源のレーザ出力レベルを低下させる、過剰な接続損が含まれる。さらに、光パワー測定は、複数の低速回線２０、２１、２２、２３、２４、２５、２６、及び２７のそれぞれについて実施されるので、検出された問題に直面する低速回線まで、その問題を追跡することが可能である。
【００２１】
図４に示すように、クロック及びデータ１４０を利用して、複数の変換電気信号の同期がとられる。次に、変換された電気信号がマルチプレクサ（multiplexer）１６０において多重化される。マルチプレクサ１６０は、同期型光ネットワーク（synchronous optical network：ＳＯＮＥＴ）／同期型ディジタル・ハイアラーキ（synchronous digital hierarchy：ＳＤＨ）フレーム構造をなすように多重化データを構成する。ＳＯＮＥＴ／ＳＤＨフレーム構造によって、マルチプレクサは、フレーム構造の未使用付加バイトに収集したテレメトリデータを挿入することが可能になる。従って、多重化ネットワーク・データと、多重化ネットワーク・データに対応するテレメトリデータ２５０を、同じ高速回線で搬送することが可能になる。
【００２２】
図４には、２つのグループをなす４つの低速回線の多重化が例示されている。例えば、図４には、ＳＯＮＥＴ／ＳＤＨ電気信号１６５に多重化される第１のグループをなす低速回線２０、２１、２２、及び２３と、ＳＯＮＥＴ／ＳＤＨ電気信号１６６に多重化される第２のグループをなす低速回線２４、２５、２６、及び２７が例示されている。次に、ＳＯＮＥＴ／ＳＤＨ電気信号１６５及び１６６は、それぞれ、シリアライザ（serializer）１８０及び１８１において直列化される。ＳＯＮＥＴ／ＳＤＨ電気信号１６５及び１６６は、ＳＯＮＥＴ／ＳＤＨ電気信号のそれぞれによって伝えられるデータを、それぞれ、２つの光ファイバ６０及び６１で搬送できるように直列化される。次に、直列化電気信号１６５及び１６６は、それぞれ、電気光変換モジュール（electrical to optical module）２００及び２０１において、ＳＯＮＥＴ／ＳＤＨ電気信号から光信号に変換される。
【００２３】
ＯＣ−１２回線とすることが可能な高速回線６０及び６１は、ＯＣ−３回線のような複数の低速回線２０、２１、２２、２３、２４、２５、２６、及び２７によって前に搬送されたネットワークと、挿入されたテレメトリデータを搬送する。高速回線６０及び６１は、帯域幅が低速回線２０、２１、２２、２３、２４、２５、２６、及び２７よりも広い。例えば、光入力２０、２１、２２、２３、２４、２５、２６、及び２７が、それぞれ、１５５．５２Ｍｂｐｓの搬送が可能なＯＣ−３回線の場合、高速回線６０及び６１は、６２２．０８Ｍｂｐｓの搬送が可能なＯＣ−１２回線とすることが可能である。しかし、本発明の高速回線６０及び６１は、ＯＣ−１２回線に限定されるものではない。
【００２４】
やはり図４に示されるように、リモートリンク９０が、ＬＩＭ７０を利用して、低速回線２０、２１、２２、２３、２４、２５、２６、及び２７のマッピング・モードを遠隔制御できるようにする。選択されるマッピング・モードは、例えば、仮想コンテナ３（virtual container 3：ＶＣ３）または仮想コンテナ４（ＶＣ４）とすることが可能である。しかし、本発明は、いかなる特定のマッピング・モードにも限定されるものではない。光学プロトコル間のマッピングは周知のところである。さらに、ＬＩＭ７０から、このリモートリンク９０を利用して、集信装置４０のソフトウェアをアップグレードすることが可能である。
【００２５】
図５は、本発明の実施態様の１つによるマルチプレクサ１６０をより詳細に例示したブロック図である。本発明の場合、マルチプレクサ１６０は、書替え可能ゲートアレイ（field programmable gate array：ＦＰＧＡ）である。しかし、本発明のマルチプレクサ１６０は、ＦＰＧＡに限定されるものではない。
【００２６】
マルチプレクサ１６０は、それぞれ、光電気変換モジュール１２０、１２１、１２２、及び１２３からＳＯＮＥＴ／ＳＤＨ電気信号１３０、１３１、１３２、及び１３３を受信する。例えば、本発明が、８つの低速回線を多重化しなければならない場合、追加低速回線に対応するため、図５に示すマルチプレクサ１６０の構造を反復することになる。本発明のマルチプレクサは、特定の数の低速回線の多重化に限定されるものではない。
【００２７】
次に、同期装置（synchronizer）２２０、２２１、２２２、及び２２３が、ローカル・クロック・ドメインに従って、ＳＯＮＥＴ／ＳＤＨ電気信号１３０、１３１、１３２、及び１３３の同期をとる。ＳＯＮＥＴ／ＳＤＨ電気信号の同期は、当該技術において周知のところである。次に、同期のとれたＳＯＮＥＴ／ＳＤＨ電気信号１３０、１３１、１３２、及び１３３が、コンバイナ（combiner）２４０において単一データ・ストリームをなすようにインターリーブされる。同期のとれたＳＯＮＥＴ／ＳＤＨ電気信号のインターリーブ・プロセスは、周知のところである。ＳＯＮＥＴ／ＳＤＨ電気信号１３０、１３１、１３２、及び１３３は単一データ・ストリームをなすように組み合わせられるので、処理はよりコスト効果的となる。
【００２８】
ＳＯＮＥＴ／ＳＤＨデフレーマ（de-framer）２６０が、データ・ストリーム上で搬送されるＳＯＮＥＴ／ＳＤＨペイロードを識別する、データ・ストリームのフレーム構成パターンを検出する。ＳＯＮＥＴ／ＳＤＨフレーム構成パターン及びＳＯＮＥＴ／ＳＤＨフレーム構成パターンの検出プロセスは、周知のところである。さらに、ＳＯＮＥＴ／ＳＤＨデフレーマ２６０は、それぞれの低速回線のそれぞれについて、Ｂ１、Ｂ２、及びＢ３ビット・インターリーブド・パリティ（ＢＩＰ）・エラー、遠隔誤差表示経路（ＲＥＩ−Ｐ）カウント、信号損失（ＬＯＳ）、同期外れ（ＯＯＦ）データ、警報表示信号回線（ＡＩＳ−Ｌ）、遠隔欠陥表示回線（ＲＤＩ−Ｌ）、ポインタ損失（ＬＯＰ）、警報表示信号経路（ＡＩＳ−Ｐ）、及び遠隔欠陥表示経路（ＲＤＩ−Ｐ）といった統計値及び警報を検出する。これらの統計値及び警報は、周知のところであり、テレメトリデータ２５０に含まれる。
【００２９】
ＳＯＮＥＴ／ＳＤＨデフレーマ２６０によって検出されるＳＯＮＥＴペイロードが、例えば、ＡＵ３の場合、ＡＵ３／ＡＵ４抽出器２８０によって、ＳＯＮＥＴフレームからＡＵ３ペイロードが抽出される。検出されるＳＯＮＥＴペイロードが、例えば、ＡＵ４の場合、ＡＵ３／ＡＵ４抽出器２８０によって、ＳＯＮＥＴフレームからＡＵ４ペイロードが抽出される。
【００３０】
ＡＵ３・ＶＣ３／ＡＵ４・ＶＣ４デマルチプレクサ（AU3 to VC3/AU4 to VC4 demultiplexer）３００が、ポインタ処理を利用して、検出されたフレーム構成パターンに適した数の同期ペイロード封筒（synchronous payload envelope：ＳＰＥ）を検索する。次に、ＶＣ４・ＡＵ４／ＶＣ３・ＡＵ３ポインタ・プロセッサ３２０が、出力高速電気信号１６５との同期がとれて、検出されたフレーム構成パターンによって決まるＡＵ３またはＡＵ４ペイロードに、検索したＳＰＥをパックする。同期のとれたＡＵ３またはＡＵ４ペイロードは、ＡＵ３／ＡＵ４マルチプレクサ３４０において単一データ・ストリームをなすようにインターリーブされる。
【００３１】
フレーマ３６０によって、多重化ＡＵ３／ＡＵ４ペイロードのまわりに適切なＳＯＮＥＴ／ＳＤＨフレームが配置される。ＳＯＮＥＴ／ＳＤＨフレームは、ＯＣ−１２フレームに制限されるものではない。さらに、ＳＯＮＥＴ／ＳＤＨフレームは、未使用の付加バイトを備えている。フレーマ３６０によって、収集されたテレメトリデータ２５０が、例えば、Ｄ１〜Ｄ６付加バイトに挿入される。テレメトリデータ２５０は、ＳＯＮＥＴ／ＳＤＨフレーム構造のＤ１〜Ｄ６付加バイトに限定されるものではない。
【００３２】
図５には、特定のＳＯＮＥＴ／ＳＤＨプロトコルに関して例示された、デフレーマ、抽出器、デマルチプレクサ、ポインタ・プロセッサ、マルチプレクサ、及びフレーマが示されている。しかし、本発明は、いかなる特定のプロトコルに基づくデフレーマ、抽出器、デマルチプレクサ、ポインタ・プロセッサ、マルチプレクサ、及びフレーマにも限定されるものではない。
【００３３】
図６は、本発明の実施態様の１つによるライン・インターフェイス・モジュール（ＬＩＭ）をより詳細に例示したブロック図である。図６には、単一高速回線６０を受け入れるのに適したＬＩＭ７０が例示されているが、本発明のＬＩＭ７０は、単一高速回線の受け入れに限定されるものではない。例えば、集信装置４０から高速回線６０及び６１を受け入れる場合、２つの高速回線に対応するため、図６に例示の構造が複製されることになる。
【００３４】
高速光回線６０は、ＬＩＭ７０の光電気変換モジュール４００に接続され、高速光回線によって搬送されてきた信号が電気信号に変換される。デシリアライザ（deserializer）４２０によって、変換電気信号の非直列化が行われる。次に、デマルチプレクサ４６０によって、非直列化電気信号の多重分離が行われる。多重分離信号は、低速回線２０、２１、２２、及び２３上で搬送される、そのもとの形式のネットワーク・データを表わしている。さらに、多重分離信号には、タイム・スタンパ４３０によってタイム・スタンプを付けることが可能である。しかし、タイム・スタンピングが必要というわけではない。次に、ＨＥＣデリニエータ（delineator）４７０によって、多重分離信号が、例えば、図６に例示の５３バイト・セル４９０をなすように構成される。
【００３５】
やはり、図６に示すように、逆マルチプレクサ（inverse multiplexer）４８０による多重分離セルの逆多重化（inverse multiplexing）が可能である。例えば、非同期転送モードで、多重分離ネットワーク・データに逆多重化を施すことが可能であるが、これは、ＩＭＡとしても知られるプロセスである。しかし、本発明は、周知のプロセスであるＩＭＡまたはＡＴＭに限定されるものではない。ＩＭＡが行われる場合、データは５３バイト・セルに留まることになる。さらに、図６のバイパス回線５０１で表示のように、逆多重化が全く行われない場合もある。次に、再アセンブラ５００によって、逆多重化を施されたデータが再アセンブルされるか、あるいは、逆マルチプレクサ４８０がバイパスされるかまたは設けられていない場合、再アセンブラ（reassembler）５００において、ＨＥＣデリニエータからのセルがパケット５０５に再アセンブルされる。再アセンブラ５００は、ＡＡＬ−２またはＡＡＬ−５のようなＡＴＭアダプテーション・レイヤ・プロトコル（ATM Adaptation Layer protocol：ＡＡＬ）を利用して、５３バイト・セルの４８バイト・ペイロードをパケット５０５に再アセンブルする。このプロトコルは、周知のところである。しかし、本発明は、このプロトコルに限定されるものではない。さらに、再アセンブル・パケット５０５の長さもさまざまである可能性がある。次に、これらの再アセンブル・パケット５０５は、ＤＮＡ８０によって解析することが可能である。
【００３６】
さらに、ＬＩＭ７０の場合、ＳＯＮＥＴ／ＳＤＨフレームの付加バイトに挿入されるテレメトリデータ２５０は、統計値収集器５２０によって抽出され、収集される。統計値収集器５２０によって収集された統計値は、コンピュータ１００によって処理される。コンピュータ１００は、パーソナル・コンピュータまたはハンドヘルド式コンピュータとすることができるが、いかなる特定タイプのコンピュータにも限定されることはない。
【００３７】
図７は、本発明の実施態様の１つによる、単一の分散型ネットワーク・アナライザによる処理のために、複数の光信号を集めるための装置を例示したブロック図である。図７に示すように、この装置には、複数の低速回線２０、２１、２２、及び２３、及びライン・インターフェイス・モジュール７０を受け入れる集信装置４０が含まれている。図３にさらに詳細に示された集信装置４０が、ネットワークのそれぞれに異なるリンクから、複数の低速回線２０、２１、２２、及び２３上で搬送されるデータを多重化して、高速回線６０上で搬送される多重化ネットワーク・データにする。図４にさらに詳細に示されたＬＩＭ７０が、多重化ネットワーク・データを多重分離して、多重分離ネットワーク・データをセルにパッケージ化し、単一の分散型ネットワーク・アナライザ８０による解析のために、セル・ネットワーク・データを再アセンブルする。
【００３８】
上記により、本発明によれば、複数の低速回線で搬送される、ネットワークのそれぞれに異なるリンクからの複数のネットワーク・データを集めて、高速回線で搬送される多重化ネットワーク・データにし、多重化ネットワーク・データを分解して、分解されたネットワーク・データを利用し、単一の分散型ネットワーク・アナライザで、それぞれに異なるリンクからのネットワーク・データを同時に解析する方法が得られる。
【００３９】
本発明によれば、ＯＣ−１２のような高速回線６０を介して、ＬＩＭ７０またはＤＮＡ８０に接続可能である限りにおいて、集信装置４０の遠隔配置が可能になる。さらに、複数の光入力の同時解析に必要な装置が少なくなるので、本発明によれば、低コストのマルチポート・プロトコル解析及びモニタが可能になる。さらに、本発明によれば、既存のＤＮＡを用いて、複数の光入力の解析及びモニタが可能になるので、既存の解析及びモニタ・システムに柔軟性が付与されることになる。
【００４０】
本明細書では、さまざまなプロトコル及び規格について解説してきた。しかし、本発明は、いかなる特定のプロトコル及び／または規格にも制限されるものではない。
【００４１】
本発明の望ましい実施態様のいくつかについて示し、解説してきたが、当該技術者には明らかなように、その範囲が、請求項及びそれらの同等物において定義された本発明の原理及び精神から逸脱することなく、これらの実施態様に変更を加えることが可能である。
【図面の簡単な説明】
【００４２】
【図１】ネットワークからの大量のデータの受信及び解析のために従来用いられたＬＩＭ及びＤＮＡを例示した先行技術のブロック図である。
【図２】本発明の実施態様の１つに基づく、単一の分散型ネットワーク・アナライザによる処理のために、複数の光信号を集めるための装置を例示したブロック図である。
【図３】本発明の実施態様に基づく、単一の分散型ネットワーク・アナライザによる処理のために、複数の低速回線を集めるための装置をより詳細に例示したブロック図である。
【図４】本発明の実施態様の１つによる集信装置をより詳細に例示したブロック図である。
【図５】本発明の実施態様の１つによるマルチプレクサをより詳細に例示したブロック図である。
【図６】本発明の実施態様の１つによるラインインターフェイスモジュール（ＬＩＭ）をより詳細に例示したブロック図である。
【図７】本発明の実施態様の１つによる、単一の分散型ネットワーク・アナライザによる処理のために、複数の光信号を集めるための装置を例示したブロック図である。
【符号の説明】
【００４３】
４０  集信装置
７０  ライン・インターフェイス・モジュール
８０  分散型ネットワーク・アナライザ
【図１】
2006174445.tif 000003
【図２】
2006174445.tif 000004
【図３】
2006174445.tif 000005
【図４】
2006174445.tif 000006
【図５】
2006174445.tif 000007
【図６】
2006174445.tif 000008
【図７】
2006174445.tif 000009